(57)【要約】  画像処理、アクセス方法及び装置を開示する。処理対象の原始ピクチャーにおいて一つ又は複数の保護領域を確定する。前記一つ又は複数の保護領域の画像データに対してアクセス権限添加保護処理を行って、前記一つ又は複数の保護領域にそれぞれ対応する一つ又は複数の独立したサブ画像データを得る。その後、原始ピクチャー中の前記一つ又は複数の保護領域にマスク処理を行ってメイン画像データを得るが、マスク処理後の原始ピクチャーからは保護領域内の画像を見ることができない。得られた前記一つ又は複数の独立したサブ画像データと前記メイン画像データとを関連付けて記憶し、上述のように処理されたピクチャーにアクセスする場合、前記メイン画像データについては、ユーザが権限の制限を受けずにアクセスすることができるが、保護領域内の画像については、ユーザのアクセス権限に基づいて選択的に表示する。本発明の実施例によると、画像の異なる領域を段階的に管理し、アクセスする場合にアクセス権限に応じて段階的に表示して、画像中の一部の情報を公開して展示するとともに、保護する必要のある情報を安全に保護する。
2017535839.tif 000002
【特許請求の範囲】
【請求項１】
処理対象の原始ピクチャーにおいて一つ又は複数の保護領域を確定することと、
前記一つ又は複数の保護領域の画像データに対してアクセス権限添加保護処理を行って、前記一つ又は複数の保護領域にそれぞれ対応する一つ又は複数の独立したサブ画像データを得ることと、
前記原始ピクチャー中の前記一つ又は複数の保護領域に対してマスク処理を行ってメイン画像データを得ることと、
得られた前記一つ又は複数の独立したサブ画像データと前記メイン画像データとを関連付けて記憶することと、を含む画像処理方法。
【請求項２】
前記処理対象の原始ピクチャーにおいて一つ又は複数の保護領域を確定することは、
ユーザが前記原始ピクチャーにおいて選定された一つ又は複数の閉鎖領域を検出することであって、但し、一つの前記閉鎖領域が一つの保護領域であること、
又は、
前記原始ピクチャーに対して縁部検出を行うことと、
検出された縁部に基づいて、該画像を異なる閉鎖領域となるように区画することと、
前記閉鎖領域から少なくとも一つを保護領域として選択することと、又は、前記閉鎖領域から少なくとも一つの閉鎖領域を選択して、それの外接する矩形、円形又は三角形でカバーされた領域を保護領域として取得することと、を含む請求項１に記載の方法。
【請求項３】
前記得られた一つ又は複数の独立したサブ画像データと前記メイン画像データとを関連付けて記憶することは、
前記一つ又は複数の独立したサブ画像データと前記メイン画像データとを合併して記憶することと、
又は、前記一つ又は複数の独立したサブ画像データと前記メイン画像データとをそれぞれ別途に記憶し、対応する関係データベースを生成することと、を含む請求項１に記載の方法。
【請求項４】
前記一つ又は複数の保護領域の画像データに対してアクセス権限添加処理を行うことは、
前記一つ又は複数の保護領域のアクセス権限を確定し、前記原始ピクチャーから各保護領域の画像データを抽出することと、前記各保護領域のアクセス権限に基づいて、それぞれ前記各保護領域の画像データに対して権限添加符号化処理を行って、前記各保護領域に対応する独立したサブ画像データを得ることと、を含む請求項１に記載の方法。
【請求項５】
前記各保護領域の画像データに対してアクセス権限添加アクセス処理を行う前、
前記一つ又は複数の保護領域から少なくとも一つのサブ保護領域を確定することを更に含み、
前記一つ又は複数の保護領域の画像データに対してアクセス権限添加保護処理を行う過程において、前記一つ又は複数の保護領域のアクセス権限を確定する際に前記一つ又は複数の保護領域中の前記少なくとも一つのサブ保護領域のアクセス権限を確定することを含み、前記一つ又は複数の保護領域に対して権限添加符号化処理を行う際に、前記少なくとも一つのサブ保護領域のアクセス権限に基づいて、前記少なくとも一つのサブ保護領域の画像データに対して単独に権限添加符号化処理を行うことを含む請求項４に記載の方法。
【請求項６】
前記原始ピクチャー中の前記各保護領域に、モザイク処理、ぼんやり化処理、色合い変化処理、形状変化処理の中の少なくとも一つで処理を行う請求項１乃至５の中のいずれか一項に記載の方法。
【請求項７】
アクセス対象のピクチャーに請求項１乃至６の中のいずれかに記載の画像処理方法で処理した後、アクセスユーザが該処理後のピクチャーにアクセスする場合、該アクセスユーザのアクセス権限を取得することと、
該ユーザのアクセス権限に基づいて、該ピクチャーに対応する保護領域の画像データを取得することと、
取得した保護領域の画像データと該ピクチャーのメイン画像データに基づいて、対応する画像を生成して、前記アクセスユーザに表示することと、を含む画像アクセス方法。
【請求項８】
処理対象の原始ピクチャーにおいて一つ又は複数の保護領域を確定するように構成される領域区画モジュールと、
前記一つ又は複数の保護領域の画像データに対してアクセス権限添加保護処理を行って、前記一つ又は複数の保護領域にそれぞれ対応する一つ又は複数の独立したサブ画像データを得るように構成される保護モジュールと、
前記原始ピクチャー中の前記一つ又は複数の保護領域に対してマスク処理を行ってメイン画像データを得るように構成されるマスク処理モジュールと、
前記一つ又は複数の独立したサブ画像データと前記メイン画像データとを関連付けて記憶するように構成される記憶制御モジュールと、を含む画像処理装置。
【請求項９】
前記領域区画モジュールは、ユーザが前記原始ピクチャーにおいて選定した一つ又は複数の閉鎖領域を検出するように構成される領域検出サブモジュールを含み、一つの前記閉鎖領域は一つの保護領域であって、
又は、
前記領域区画モジュールは、前記原始ピクチャーに対して縁部検出を行うように構成される縁部検出サブモジュールと、前記検出された縁部に基づいて、該画像を異なる閉鎖領域となるように区画するように構成される領域確定サブモジュールと、前記閉鎖領域から保護領域として少なくとも一つを選択するように構成される、又は、前記閉鎖領域から少なくとも一つの閉鎖領域を選択してそれの外接する矩形、円形又は三角形でカバーされた領域を保護領域として取得するように構成される保護領域選択サブモジュールと、を含む請求項８に記載の装置。
【請求項１０】
前記記憶制御モジュールは、前記一つ又は複数の独立したサブ画像データと前記メイン画像データとを合併して記憶するように構成される合併記憶制御サブモジュールを含み、又は、前記記憶制御モジュールは、前記一つ又は複数の独立したサブ画像データと前記メイン画像データとをそれぞれ別途に記憶して、対応する関係データベースを生成するように構成される分離記憶制御サブモジュールを含む請求項８に記載の装置。
【請求項１１】
前記保護モジュールは、前記各保護領域のアクセス権限を確定するように構成されるアクセス権限設定サブモジュールと、前記原始ピクチャーから前記各保護領域の画像データを抽出するように構成されるデータ抽出サブモジュールと、前記各保護領域のアクセス権限に基づいて、それぞれ前記各保護領域の画像データに対して権限添加符号化処理を行って、前記各保護領域にそれぞれ対応する独立したサブ画像データを得るように構成される符号化サブモジュールと、を含む請求項８に記載の装置。
【請求項１２】
前記マスク処理モジュールは、
前記原始ピクチャー中の前記各保護領域に対してモザイク処理を行うように構成されるモザイク処理サブモジュールと、
前記原始ピクチャー中の前記各保護領域に対してぼんやり化処理を行うように構成されるぼんやり化処理サブモジュールと、
前記原始ピクチャー中の前記各保護領域に対して色合い変化処理を行うように構成される色合い変化処理サブモジュールと、
前記原始ピクチャー中の前記各保護領域に対して形状変化処理を行うように構成される形状変化処理サブモジュールとの中の少なくとも一つを含む請求項８乃至１１の中のいずれか一項に記載の装置。
【請求項１３】
アクセスユーザが請求項８乃至１１の中のいずれかに記載の画像処理装置による画像処理後のピクチャーにアクセスする場合、該アクセスユーザのアクセス権限を取得するように構成される権限取得モジュールと、
該ピクチャーのメイン画像データを取得するように構成されるメイン画像データ取得モジュールと、
該ユーザのアクセス権限に基づいて、該ピクチャーに対応する保護領域の画像データを取得するように構成される保護データ取得モジュールと、
取得した保護領域の画像データと該ピクチャーのメイン画像データに基づいて、対応する画像を生成して前記アクセスユーザに表示するように構成される表示モジュールと、を含む画像アクセス装置。
【請求項１４】
プログラム命令を含み、画像処理機器が当該プログラム命令を実行する場合、該機器に請求項１乃至６の中のいずれか一項に記載の方法を実施させるコンピュータプログラム。
【請求項１５】
請求項１４に記載のコンピュータプログラムが乗せられた担体。
【請求項１６】
プログラム命令を含み、画像アクセス機器が当該プログラム命令を実行する場合、該機器に請求項７に記載の方法を実施させるコンピュータプログラム。
【請求項１７】
請求項１６に記載のコンピュータプログラムが乗せられた担体。
【発明の詳細な説明】
【技術分野】
【０００１】
本発明は、画像処理分野に関し、特に、画像処理、アクセス方法及び装置に関する。
【背景技術】
【０００２】
最近、インターネットと移動機器の高速発展に伴って、ユーザが日常生活中にピクチャー又はビデオを分かち合う頻度がますます高くなっている。それと同時に、インターネットでピクチャー又はビデオを分かち合う際のセキュリティもますます顕著化になっている。現在、主にピクチャー又はビデオ全体に対して異なるユーザ権限を設定し、ピクチャー又はビデオの閲覧を制限する方法を採用している。しかし、このような誤った二分法の方式ではユーザによるシェア方式の多重需要を満たすことができず、ユーザ体験の満足度を低減することになる。
【発明の概要】
【発明が解決しようとする課題】
【０００３】
本発明の実施例は、既存技術において直接にピクチャー全体に対して権限制御を行うことでユーザの需要を満たすことができない問題を解決できる画像処理、アクセス方法及び装置を提供する。
【課題を解決するための手段】
【０００４】
上記技術課題を解決するため、本発明の実施例は、
処理対象の原始ピクチャーにおいて一つ又は複数の保護領域を確定することと、
前記一つ又は複数の保護領域の画像データに対してアクセス権限添加保護処理を行って、前記一つ又は複数の保護領域にそれぞれ対応する一つ又は複数の独立したサブ画像データを得ることと、
前記原始ピクチャー中の前記一つ又は複数の保護領域に対してマスク処理を行ってメイン画像データを得ることと、
得られた前記一つ又は複数の独立したサブ画像データと前記メイン画像データとを関連付けて記憶することと、を含む画像処理方法を提供する。
【０００５】
本発明の一実施例において、前記処理対象の原始ピクチャーにおいて一つ又は複数の保護領域を確定することは、
ユーザが前記原始ピクチャーにおいて選定された一つ又は複数の閉鎖領域を検出することであって、但し、一つの前記閉鎖領域が一つの保護領域であること、
又は、
前記原始ピクチャーに対して縁部検出を行うことと、
検出された縁部に基づいて、該画像を異なる閉鎖領域となるように区画することと、
前記閉鎖領域から少なくとも一つを保護領域として選択することと、又は、前記閉鎖領域から少なくとも一つの閉鎖領域を選択し、それの外接する矩形、円形又は三角形でカバーされた領域を保護領域として取得することと、を含む。
【０００６】
本発明の一実施例において、前記得られた一つ又は複数の独立したサブ画像データと前記メイン画像データとを関連付けて記憶することは、
前記一つ又は複数の独立したサブ画像データと前記メイン画像データとを合併して記憶することと、
又は、前記一つ又は複数の独立したサブ画像データと前記メイン画像データとをそれぞれ別途に記憶し、対応する関係データベースを生成することと、を含む。
【０００７】
本発明の一実施例において、前記一つ又は複数の保護領域の画像データに対してアクセス権限添加アクセス処理を行うことは、
前記一つ又は複数の保護領域のアクセス権限を確定し、前記原始ピクチャーから各保護領域の画像データを抽出することと、前記各保護領域のアクセス権限に基づいて、それぞれ前記各保護領域の画像データに対して権限添加符号化処理を行って、前記各保護領域に対応する独立したサブ画像データを得ることと、を含む。
【０００８】
本発明の一実施例において、前記各保護領域の画像データに対してアクセス権限添加アクセス処理を行う前、
前記一つ又は複数の保護領域から少なくとも一つのサブ保護領域を確定することを更に含み、
前記一つ又は複数の保護領域の画像データに対してアクセス権限添加保護処理を行う過程において、前記一つ又は複数の保護領域のアクセス権限を確定する際に前記一つ又は複数の保護領域中のサブ保護領域のアクセス権限を確定することを含み、前記一つ又は複数の保護領域に対して権限添加符号化処理を行う際に、前記少なくとも一つのサブ保護領域のアクセス権限に基づいて、前記少なくとも一つのサブ保護領域の画像データに対して単独に権限添加符号化処理を行うことを含む。
【０００９】
本発明の一実施例において、前記原始ピクチャー中の前記各保護領域に、モザイク処理、ぼんやり化処理、色合い変化処理、形状変化処理の中の少なくとも一つで処理を行う。
【００１０】
上記問題を解決するため、本発明の実施例は更に、アクセス対象のピクチャーに対して上述した画像処理方法で処理した後、アクセスユーザが該処理後のピクチャーにアクセスする場合、該アクセスユーザのアクセス権限を取得することと、
該ユーザのアクセス権限に基づいて、該ピクチャーに対応する保護領域の画像データを取得することと、
取得した保護領域の画像データと該ピクチャーのメイン画像データに基づいて、対応する画像を生成して、前記アクセスユーザに表示することと、を含む画像アクセス方法を提供する。
【００１１】
上記問題を解決するため、本発明の実施例は、
処理対象の原始ピクチャーにおいて一つ又は複数の保護領域を確定するように構成される領域区画モジュールと、
前記一つ又は複数の保護領域の画像データに対してアクセス権限添加保護処理を行って、前記一つ又は複数の保護領域にそれぞれ対応する一つ又は複数の独立したサブ画像データを得るように構成される保護モジュールと、
前記原始ピクチャー中の前記一つ又は複数の保護領域に対してマスク処理を行ってメイン画像データを得るように構成されるマスク処理モジュールと、
前記一つ又は複数の独立したサブ画像データと前記メイン画像データとを関連付けて記憶するように構成される記憶制御モジュールと、を含む画像処理装置を提供する。
【００１２】
本発明の一実施例において、前記領域区画モジュールは、ユーザが前記原始ピクチャーにおいて選定した一つ又は複数の閉鎖領域を検出するように構成される領域検出サブモジュールを含み、一つの前記閉鎖領域は一つの保護領域であって、
又は、
前記領域区画モジュールは、前記原始ピクチャーに対して縁部検出を行うように構成される縁部検出サブモジュールと、前記検出された縁部に基づいて、該画像を異なる閉鎖領域となるように区画するように構成される領域確定サブモジュールと、前記閉鎖領域から保護領域として少なくとも一つを選択するように構成される、又は、前記閉鎖領域から少なくとも一つの閉鎖領域を選択してそれの外接する矩形、円形又は三角形でカバーされた領域を保護領域として取得するように構成される保護領域選択サブモジュールと、を含む。
【００１３】
本発明の一実施例において、前記記憶制御モジュールは、前記一つ又は複数の独立したサブ画像データと前記メイン画像データとを合併して記憶するように構成される合併記憶制御サブモジュールを含み、又は、前記記憶制御モジュールは、前記一つ又は複数の独立したサブ画像データと前記メイン画像データとをそれぞれ別途に記憶して、対応する関係データベースを生成するように構成される分離記憶制御サブモジュールを含む。
【００１４】
本発明の一実施例において、前記保護モジュールは、前記各保護領域のアクセス権限を確定するように構成されるアクセス権限設定サブモジュールと、前記原始ピクチャーから前記各保護領域の画像データを抽出するように構成されるデータ抽出サブモジュールと、前記各保護領域のアクセス権限に基づいて、それぞれ前記各保護領域の画像データに対して権限添加符号化処理を行って、前記各保護領域にそれぞれ対応する独立したサブ画像データを得るように構成される符号化サブモジュールと、を含む。
【００１５】
本発明の一実施例において、前記マスク処理モジュールは、
前記原始ピクチャー中の前記各保護領域に対してモザイク処理を行うように構成されるモザイク処理サブモジュールと、
前記原始ピクチャー中の前記各保護領域に対してぼんやり化処理を行うように構成されるぼんやり化処理サブモジュールと、
前記原始ピクチャー中の前記各保護領域に対して色合い変化処理を行うように構成される色合い変化処理サブモジュールと、
前記原始ピクチャー中の前記各保護領域に対して形状変化処理を行うように構成される形状変化処理サブモジュールとの中の少なくとも一つを含む。
【００１６】
上記問題を解決するため、本発明の実施例は更に、
アクセスユーザが上記画像処理装置による画像処理後のピクチャーにアクセスする場合、該アクセスユーザのアクセス権限を取得するように構成される権限取得モジュールと、
該ピクチャーのメイン画像データを取得するように構成されるメイン画像データ取得モジュールと、
該ユーザのアクセス権限に基づいて、該ピクチャーに対応する保護領域の画像データを取得するように構成される保護データ取得モジュールと、
取得した保護領域の画像データと該ピクチャーのメイン画像データに基づいて、対応する画像を生成して前記アクセスユーザに表示するように構成される表示モジュールと、を含む画像アクセス装置を提供する。
【００１７】
本発明の実施例は更に、プログラム命令を含み、画像処理機器が当該プログラム命令を実行する場合、該機器が上記画像処理方法を実施することができるコンピュータプログラムと、前記コンピュータプログラムを記憶する記憶装置を提供する。
【００１８】
本発明の実施例は更に、プログラム命令を含み、画像アクセス機器が当該プログラム命令を実行する場合、該機器が上記画像アクセス方法を実施することができるコンピュータプログラムと、前記コンピュータプログラムを記憶する記憶装置を提供する。
【発明の効果】
【００１９】
本発明の実施例によると、以下のような有益な効果を実現できる：
本発明の実施例で提供する画像処理、アクセス方法及び装置によると、処理対象の原始ピクチャーにおいて一つ又は複数の保護領域を確定する。前記一つ又は複数の保護領域の画像データに対してアクセス権限添加保護処理を行って、前記一つ又は複数の保護領域にそれぞれ対応する一つ又は複数の独立したサブ画像データを得る。その後、原始ピクチャー中の前記一つ又は複数の保護領域に対してマスク処理を行ってメイン画像データを得るが、マスク処理後の原始ピクチャーからは保護領域内の画像を見ることができない。そして、得られた前記一つ又は複数の独立したサブ画像データと前記メイン画像データとを関連付けて記憶する。上述した処理後のピクチャーにアクセスする場合、前記メイン画像データについてはユーザが権限の制限を受けずにアクセスすることができるが、保護領域内の画像については、ユーザのアクセス権限に基づいて選択的に表示する。このように、本発明の実施例によると、画像の異なる領域を段階的に管理し、アクセスする場合、アクセス権限に基づいて段階的に表示する。よって、画像中の一部の情報を公開して展示するとともに、保護する必要のある情報を安全に保護し、柔軟に使用でき、既存の「誤った二分法」の管理方式に比べ、ユーザの需要を一層満たし、且つ簡単に実現でき、信頼性が高い。
【図面の簡単な説明】
【００２０】
【図１】本発明の実施例１の画像処理方法を示すフローチャートである。
【図２】本発明の実施例１の画像アクセス方法を示すフローチャートである。
【図３】本発明の実施例１において保護領域の画像データに対してアクセス権限添加符号化処理行うことを示すフローチャートである。
【図４】本発明の実施例２の画像処理装置の構造を示す図である。
【図５】本発明の実施例２の画像アクセス装置の構造を示す図である。
【図６】本発明の実施例３の画像処理フローを示すフローチャートである。
【図７】本発明の実施例３の画像アクセスフローを示すフローチャートである。
【発明を実施するための形態】
【００２１】
以下、図面を結合して本発明の実施例を詳しく説明する。なお、矛盾しない限り、本願の実施例及び実施例中の特徴を組み合せすることができる。そして、フローチャートに論理順を示しているが、図面に示す又は説明するステップをそれと異なる順で実施することも可能である。
【００２２】
実施例１：
図１を参照すると、本実施例で提供する画像処理方法は、
処理対象の原始ピクチャーにおいて少なくとも一つの保護領域を確定すること（ステップ１０１）と、
各保護領域の画像データに対してアクセス権限添加保護処理を行って、各保護領域に対応する独立したサブ画像データを得ること（ステップ１０２）と、
原始ピクチャー中の各保護領域に対してマスク処理を行って、メイン画像データを得ること（ステップ１０３）と、
得られた独立したサブ画像データとメイン画像データとを関連付けて記憶すること（ステップ１０４）と、を含む。
【００２３】
ここで、上記ステップ１０２とステップ１０３との間に厳格な前後順があるのではなく、二つのステップを同時に行うことができれば、同時に行わないこともできることは理解できることである。
【００２４】
本実施例における処理対象の原始ピクチャーが、端末がシェアしようとするピクチャーであることができるが、該シェア方式は、ネットワーク、ブルートゥース（登録商標）、赤外線、ＮＦＣ等方式を介して、他の端末のユーザへ該ピクチャーを伝送して分かち合うこともできるし、他のユーザが直接に該端末にて閲覧することもできる。ここで、前の方式で分かち合う場合、該原始ピクチャーを処理後に関連付けて記憶した独立したサブ画像データとメイン画像データとをネットワーク、ブルートゥース、赤外線、ＮＦＣ等の方式で他の端末へ送信する。他の端末のユーザが該ピクチャーを閲覧する場合、該ユーザのアクセス権限に基づいて、各独立したサブ画像データにアクセスすることができるか否かを決定しなければならない。後ろの方式で分かち合う場合も、アクセスユーザの権限に基づいて、各独立したサブ画像データにアクセスすることができるか否かを決定しなければならない。具体的なフローは、図２に示すように、ステップ２０１乃至ステップ２０３を含む。
【００２５】
ステップ２０１において、アクセスユーザが上記処理後のピクチャーにアクセスする場合、該アクセスユーザのアクセス権限を取得し、該ピクチャーのメイン画像データについてはアクセス権限の制限を受けず、アクセスユーザが直接にアクセスする。
【００２６】
ステップ２０２において、該ユーザのアクセス権限に基づいて、該ピクチャーに対応する保護領域の画像データを取得する。
【００２７】
ステップ２０３において、取得した保護領域の画像データと該ピクチャーのメイン画像データに基づいて、対応する画像を生成してアクセスユーザに表示する。
【００２８】
上記ステップ１０１において、処理対象の原始ピクチャーにおいて少なくとも一つの保護領域を確定する場合、以下の方式中のいずれかを採用することができる：
方式１：
ユーザが直接にピクチャーにおいて保護領域を選定し、具体的には、ユーザが原始ピクチャーにおいて選定した閉鎖領域を検出する。一つの閉鎖領域は一つの保護領域である。
【００２９】
方式２：
原始ピクチャーにおいて縁部検出を行い、具体的には、ピクチャー全体を走査して、縁部検出を行い、
検出された縁部に基づいて、該画像を異なる閉鎖領域となるように区画し、該ステップにおいて、孤立点又は線分を排除してから境界を異なる領域となるように閉鎖することができ、
得られた閉鎖領域から直接に少なくとも一つを保護領域として選択し、又は、得られた閉鎖領域から少なくとも一つの閉鎖領域を選択して、それの外接する矩形、円形又は三角形でカバーされた領域を保護領域として取得し、又は、他の原則に従って原始ピクチャー中の更に大きい領域を保護領域として選択する。
【００３０】
上記ステップ１０２において、各保護領域の画像データに対してアクセス権限添加符号化処理を行う場合、図３に示すように、ステップ３０１〜ステップ３０３を含む。
【００３１】
ステップ３０１において、各保護領域のアクセス権限を確定し、つまり各保護領域のアクセス権限を表記し、各保護領域のアクセス権限は異なるように設定することができれば、同一の権限に設定することもでき、具体的にはユーザの実際の需要に応じて設定することができる。
【００３２】
ステップ３０２において、原始ピクチャーから各保護領域の画像データを抽出する。
【００３３】
ステップ３０３において、各保護領域のアクセス権限に基づいて、それぞれ各保護領域の画像データに対して権限添加符号化処理を行って、各保護領域に対応する独立したサブ画像データを得る。
【００３４】
ここで、上記ステップ３０２とステップ３０１との間に厳格な前後順があるのではなく、二つのステップを同時に行うことができれば、同時に行わないこともできることは理解できることであって、例えば、上記ステップ３０１を実行した後、上記ステップ３０２を実行することもできる。
【００３５】
本実施例において、セキュリティ制御を一層確保し、セキュリティ制御の信頼性や柔軟性を向上させるため、上記選択された保護領域において更に新しい保護領域を定め、一層上位の画像を生成して段階的に保護することができ、また、該ルールに従って、順に複数段階の画像を生成して段階的に保護することもできる。具体的には以下のとおりである：
選定された各保護領域の画像データに対してアクセス権限添加アクセス処理を行う前、少なくとも一つの保護領域において少なくとも一つのサブ保護領域を確定し、その後、該保護領域の画像データに対してアクセス権限添加保護処理を行う過程において、該保護領域のアクセス権限を確定する場合、更に該保護領域中のサブ保護領域のアクセス権限を単独に確定し、また、該保護領域に対して権限添加符号化処理を行う場合、更に該サブ保護領域のアクセス権限に基づいて、該サブ保護領域の画像データに対して単独に権限添加符号化処理を行う。
【００３６】
上記ステップ１０３において、原始ピクチャー中の各保護領域に対してマスク処理を行うのは主に、保護領域内の元のデータを変更させることで、元の画像情報を識別できなくなるようにするためである。該マスク処理として、モザイク処理、ぼんやり化処理、色合い変化処理、形状変化処理の中の少なくとも一つであることができる。例えば、保護領域内にモザイク処理を行うことができ、この場合、原始ピクチャーから保護領域内の画像データを抽出し、その後モザイク処理を行うことで、重要な情報をマスク処理する。また、例えば、マスク領域に同時に色合い変化処理と形状変化処理を行うことで、重要な情報をマスク処理することもできる。また、例えば、複数の保護領域がある場合、一つの保護領域にモザイク処理し、残りの保護領域にぼんやり化処理等を行うこともできる。
【００３７】
上記ステップ１０３において、得られた独立したサブ画像データとメイン画像データとを関連付けて記憶することは、
得られた独立したサブ画像データとメイン画像データとを合併して記憶することと、
又は、得られた独立したサブ画像データとメイン画像データとを別途に記憶し、対応する関係データベースを生成することと、を含み、これにより、後で調査する場合、該対応関係から対応するデータを得ることができる。具体的な応用状況に応じて記憶方式を選択して設定することができる。
【００３８】
上記ステップ２０２において、アクセスユーザがいずれの保護領域にアクセスするアクセス権限も具備しないと判断した場合、なんの保護領域の画像データも取得できず、対応して、上記ステップ２０３において、メイン画像のデータを復号化してユーザに表示する。上記ステップ２０２において、アクセスユーザが保護領域にアクセスするアクセス権限を具備すると判断した場合、該保護領域のデータを取得し、対応して、上記ステップ２０３において、該保護領域のデータを復号化して該領域のサブ画像を得て、メイン画像データを復号化してメイン画像を得て、サブ画像とメイン画像との組み合せをアクセスユーザに表示する。
【００３９】
実施例２：
図４を参照すると、本実施例で提供する画像処理装置は、プロセッサと、プログラムメモリと、データメモリと、を含み、更に、領域区画モジュール１と、保護モジュール２と、マスク処理モジュール３と、記憶制御モジュール４とを含む。
【００４０】
領域区画モジュール１は、処理対象の原始ピクチャーにおいて少なくとも一つの保護領域を確定する。
【００４１】
保護モジュール２は、各保護領域の画像データに対してアクセス権限添加保護処理を行って、各保護領域に対応する独立したサブ画像データを得る。
【００４２】
マスク処理モジュール３は、原始ピクチャー中の各保護領域に対してマスク処理を行ってメイン画像データを得る。
【００４３】
記憶制御モジュール４は、得られた独立したサブ画像データとメイン画像データとを関連付けて記憶する。
【００４４】
本実施例中の処理対象の原始ピクチャーが、端末がシェアしようとするピクチャーであることができが、該シェア方式は、ネットワーク、ブルートゥース、赤外線、ＮＦＣ等方式を介して、該ピクチャーを他の端末のユーザへ伝送して分かち合うこともできるし、他のユーザが直接に該端末にて閲覧することもできる。ここで、前の方式で分かち合う場合、該原始ピクチャーを処理後に関連付けて記憶した独立したサブ画像データとメイン画像データとをネットワーク、ブルートゥース、赤外線、ＮＦＣ等の方式で他の端末に送信する。他の端末のユーザが該ピクチャーを閲覧する場合、該ユーザのアクセス権限に基づいて、各独立したサブ画像データにアクセスすることができるか否かを決定しなければならない。後ろの方式で分かち合う場合も、アクセスユーザの権限に基づいて、各独立したサブ画像データにアクセスすることができるか否かを決定しなければならない。具体的には、図５を参照すると、本実施例で提供する画像アクセス装置は、プロセッサと、プログラムメモリと、データメモリと、を含み、更に、権限取得モジュール５と、保護データ取得モジュール６と、メイン画像データ取得モジュール７と、表示モジュール８と、を含む。
【００４５】
権限取得モジュール５は、アクセスユーザが上記画像処理装置による画像処理後のピクチャーにアクセスする場合、該アクセスユーザのアクセス権限を取得する。
【００４６】
メイン画像データ取得モジュール６は、該ピクチャーのメイン画像データを取得する。
【００４７】
保護データ取得モジュール７は、該ユーザのアクセス権限に基づいて、該ピクチャーに対応する保護領域の画像データを取得する。
【００４８】
表示モジュール８は、取得した保護領域の画像データと該ピクチャーのメイン画像データに基づいて、対応する画像を生成してアクセスユーザに表示する。
【００４９】
本実施例において、領域区画モジュール１は、ユーザが原始ピクチャーにおいて選定した閉鎖領域を検出する領域検出サブモジュールを含み、但し、一つの閉鎖領域は一つの保護領域である。
【００５０】
又は、領域区画モジュール１は、縁部検出サブモジュールと、領域確定サブモジュールと、保護領域選択サブモジュールと、を含む。縁部検出サブモジュールは、原始ピクチャーに対して縁部検出を行う、具体的には、ピクチャー全体を走査して縁部検出する。領域確定サブモジュールは、検出された縁部に基づいて、該画像を異なる閉鎖領域となるように区画し、該ステップにおいて、孤立点又は線分を排除してから境界を異なる領域となるように閉鎖する。保護領域選択サブモジュールは、前記閉鎖領域から保護領域として少なくとも一つを選択し、又は閉鎖領域から少なくとも一つの閉鎖領域を選択してそれの外接する矩形、円形又は三角形でカバーされた領域を保護領域として取得し、又は他の原則に従って原始ピクチャー中の最も大きい範囲を保護領域として選択する。
【００５１】
本実施例中の保護モジュール２は、アクセス権限設定サブモジュールと、データ抽出サブモジュールと、符号化サブモジュールと、を含む。アクセス権限設定サブモジュールは、前記各保護領域のアクセス権限を確定し、つまり各保護領域のアクセス権限を表記し、ここで、各保護領域のアクセス権限は異なるように設定することができれば、同一の権限に設定することもでき、具体的にはユーザの実際の需要に応じて設定される。データ抽出サブモジュールは、原始ピクチャーから各保護領域の画像データを抽出する。符号化サブモジュール、各保護領域のアクセス権限に基づいてそれぞれ各保護領域の画像データに対して権限添加符号化処理を行って各保護領域に対応する独立したサブ画像データを得る。
【００５２】
本実施例において、セキュリティ制御を一層確保し、セキュリティ制御の信頼性や柔軟性を向上させるため、領域区画モジュール１は、上記選択された保護領域から更に新しい保護領域を選択し、一層上位の画像を生成して段階的に保護することができ、また、該ルールに従って、順に複数段階の画像を生成して段階的に保護することもできる。具体的には以下のとおりである：
領域区画モジュール１は、更に、保護モジュール２が選択された各保護領域の画像データに対してアクセス権限添加アクセス処理を行う前、少なくとも一つの保護領域において少なくとも一つのサブ保護領域を確定し、その後、保護モジュール２が該保護領域の画像データに対してアクセス権限添加保護処理を行う過程において、該保護領域のアクセス権限を確定する場合、該保護領域中のサブ保護領域のアクセス権限を確定することを含み、該保護領域に対して権限添加符号化処理を行う場合に該サブ保護領域のアクセス権限に基づいて該サブ保護領域の画像データに対して単独に権限添加符号化処理を行う。
【００５３】
マスク処理モジュール３が原始ピクチャー中の各保護領域に対してマスク処理を行うのは主に、保護領域内の元のデータを変更させることで、元の画像情報を識別できなくようにするためであって、モザイク処理サブモジュールと、ぼんやり化処理サブモジュールと、色合い変化処理サブモジュールと、形状変化処理サブモジュールとの中の少なくとも一つを含む。
【００５４】
モザイク処理サブモジュールは、原始ピクチャー中の各保護領域に対してモザイク処理を行う。
【００５５】
ぼんやり化処理サブモジュールは原始ピクチャー中の各保護領域に対してぼんやり化処理を行う。
【００５６】
色合い変化処理サブモジュールは原始ピクチャー中の各保護領域に対して色合い変化処理を行う。
【００５７】
形状変化処理サブモジュールは、原始ピクチャー中の各保護領域に対して形状変化処理を行う。
【００５８】
本実施例中の記憶制御モジュール４は、独立したサブ画像データとメイン画像データとを合併して記憶する合併記憶制御サブモジュールを含み、又は、記憶制御モジュール４は、独立したサブ画像データとメイン画像データとを別途に記憶し、対応する関係データベースを生成する分離記憶制御サブモジュールを含む。これにより、その後に調査する場合、該対応関係に基づいて対応するデータを探すことができる。
【００５９】
権限取得モジュール５がアクセスユーザがいずれの保護領域にアクセスするアクセス権限も具備しないと判断した場合、保護データ取得モジュール６がなんの保護領域の画像データも取得できず、対応して、表示モジュール８はメイン画像のデータのみを復号化してからユーザに表示する。権限取得モジュール５がアクセスユーザが保護領域にアクセスするアクセス権限を具備すると判断した場合、保護データ取得モジュール６は該保護領域のデータを取得し、対応して、表示モジュール８は該保護領域のデータを復号化して該領域のサブ画像を得て、メイン画像データを復号化してメイン画像を得て、サブ画像とメイン画像との組み合せをアクセスユーザに表示する。
【００６０】
実施例３：
図６を参照すると、該図に選択された処理対象ピクチャーに対する処理を行うフローを示し、具体的には、ステップ６０１〜ステップ６０７を含む。
【００６１】
ステップ６０１において、該処理対象ピクチャー中の異なる対象を自動的に識別して領域を区画し、該ステップは具体的に、ピクチャー全体を走査し、縁部検出を行って、検出された縁部から孤立点又は線分を排除し、境界を異なる領域（図６中の領域１と領域２）となるように閉鎖し、ユーザが領域２を保護領域として選択する。
【００６２】
ステップ６０２において、保護領域を確定し、ここでは領域２を保護領域として選択し、そのアクセス権限を確定し、原始ピクチャーから該領域の画像データを抽出する。
【００６３】
ステップ６０３において、領域２の画像データに対してアクセス権限添加符号化処理を行って領域２に対応する独立したサブ画像データを得る。
【００６４】
ステップ６０４において、得られた独立したサブ画像データを別途に記憶し、別途に記憶するには該ピクチャーのメイン画像データとの対応関係を含むべきです。
【００６５】
ステップ６０５において、原始ピクチャー中の保護領域に対してマスク処理し、即ち、原始ピクチャー中の領域２に対してマスク処理を行って領域２’を得て、その後、原始ピクチャーのデータを抽出してメイン画像データを得る。
【００６６】
ステップ６０６において、得られたメイン画像データに対して符号化を行う。
【００６７】
ステップ６０７において、符号化後のメイン画像データを単独に記憶し、ここで領域２の独立したサブ画像データとの対応関係を含む。
【００６８】
本実例において、最終的に得られた独立したサブ画像データとメイン画像データとを合併して記憶することもできる。
【００６９】
図７を参照すると、該図は上述した図６の処理後のピクチャーにアクセスするフローを示し、ステップ７０１〜ステップ７０７を含む。
【００７０】
ステップ７０１において、ピクチャーデータ(メイン画像データと、対応する独立したサブ画像データとを含む)及びアクセスユーザのアクセス権限を取得する。
【００７１】
ステップ７０２において、取得したメイン画像データを復号化を行う。
【００７２】
ステップ７０３において、復号化後のメイン画像データからメイン画像を得る。
【００７３】
ステップ７０４において、取得したアクセス権限に基づいて、アクセス可能な保護領域の独立したサブ画像データを抽出し、該ステップにおいて、独立したサブ画像データとメイン画像データの記憶方式に応じて異なる抽出方式を採用することができ、合併して記憶した方式の場合、アクセス権限に基づいて直接にピクチャーデータから抽出し、別途に記憶した方式の場合、アクセス権限に基づいて対応するデータベースから別々に抽出する。
【００７４】
ステップ７０５において、抽出した独立したサブ画像データに対してアクセス権限解除復号化処理を行う。
【００７５】
ステップ７０６において、復号化後の独立したサブ画像データから領域２のサブ画像を得る。
【００７６】
ステップ７０７において、領域２のサブ画像とステップ７０３中のメイン画像との組み合せをユーザに表示する。
【００７７】
上記ステップ７０４において、取得したアクセス権限に基づいて、アクセス可能な保護領域がないと確定された場合、ステップ７０７において、メイン画像のみをアクセスユーザに表示し、アクセスユーザは保護領域内の画像を見ることができない。
【００７８】
このように、本発明の実施例によると、画像の異なる領域を段階的に管理し、アクセスする場合アクセス権限に応じて段階的に表示し、画像中の一部の情報を公開して展示するとともに、保護する必要のある情報を安全に保護し、柔軟に使用でき、既存の「誤った二分法」の管理方式に比べ、ユーザの需要を一層満たし、且つ簡単に実現でき、信頼性が高い。
【００７９】
上記方法中の全部又は一部のステップをプログラムによって関連するハードウェアに完成するように命ずることができ、上記プログラムをコンピュータ読み取り可能な記憶媒体、例えば読み出し専用メモリ、磁気ディスク又はレーザーディスク（登録商標）等に記憶することができることは当業者であれば理解できることである。そして、上記実施例の全部又は一部のステップを一つ又は複数の集積回路によって実現することもできる。対応して、上記実施例中の各モジュール/ユニットをハードウェアの形態で実現することができれば、ソフトウェア機能モジュールの形態で実現することもできる。本発明は如何なる特定のハードウェアとソフトウェアの結合にも限定されない。
【００８０】
なお、本発明は他のさまざまな実施例で実現することもでき、本発明の精神及び実質から離脱しない状況下、当業者は本発明に基づいてさまざまな改善や変形が可能であって、このような改善や変形は本発明の保護範囲に含まれる。
【産業上の利用可能性】
【００８１】
本発明の実施例に開示された画像処理、アクセス方法及び装置によると、処理対象の原始ピクチャーにおいて少なくとも一つ又は複数の保護領域を確定して画像データに対してアクセス権限添加保護処理を行うことで、画像の異なる領域を段階的に管理し、アクセスする場合にアクセス権限に応じて段階的に表示して、画像中の一部の情報を公開して展示するとともに、保護する必要のある情報を安全に保護する。
【図１】
2017535839.tif 000003
【図２】
2017535839.tif 000004
【図３】
2017535839.tif 000005
【図４】
2017535839.tif 000006
【図５】
2017535839.tif 000007
【図６】
2017535839.tif 000008
【図７】
2017535839.tif 000009
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
処理対象の原始ピクチャーにおいて一つ又は複数の保護領域を確定することと、
前記一つ又は複数の保護領域の画像データに対してアクセス権限添加保護処理を行って、前記一つ又は複数の保護領域にそれぞれ対応する一つ又は複数の独立したサブ画像データを得ることと、
前記原始ピクチャー中の前記一つ又は複数の保護領域に対してマスク処理を行ってメイン画像データを得ることと、
得られた前記一つ又は複数の独立したサブ画像データと前記メイン画像データとを関連付けて記憶することと、を含む画像処理方法。
【請求項２】
前記処理対象の原始ピクチャーにおいて一つ又は複数の保護領域を確定することは、
ユーザが前記原始ピクチャーにおいて選定された一つ又は複数の閉鎖領域を検出することであって、但し、一つの前記閉鎖領域が一つの保護領域であること、
又は、
前記原始ピクチャーに対して縁部検出を行うことと、
検出された縁部に基づいて、該画像を異なる閉鎖領域となるように区画することと、
前記閉鎖領域から少なくとも一つを保護領域として選択することと、又は、前記閉鎖領域から少なくとも一つの閉鎖領域を選択して、それの外接する矩形、円形又は三角形でカバーされた領域を保護領域として取得することと、を含む請求項１に記載の方法。
【請求項３】
前記得られた一つ又は複数の独立したサブ画像データと前記メイン画像データとを関連付けて記憶することは、
前記一つ又は複数の独立したサブ画像データと前記メイン画像データとを合併して記憶することと、
又は、前記一つ又は複数の独立したサブ画像データと前記メイン画像データとをそれぞれ別途に記憶し、対応する関係データベースを生成することと、を含む請求項１に記載の方法。
【請求項４】
前記一つ又は複数の保護領域の画像データに対してアクセス権限添加処理を行うことは、
前記一つ又は複数の保護領域のアクセス権限を確定し、前記原始ピクチャーから各保護領域の画像データを抽出することと、前記各保護領域のアクセス権限に基づいて、それぞれ前記各保護領域の画像データに対して権限添加符号化処理を行って、前記各保護領域に対応する独立したサブ画像データを得ることと、を含む請求項１に記載の方法。
【請求項５】
前記各保護領域の画像データに対してアクセス権限添加保護処理を行う前、
前記一つ又は複数の保護領域から少なくとも一つのサブ保護領域を確定することを更に含み、
前記一つ又は複数の保護領域の画像データに対してアクセス権限添加保護処理を行う過程において、前記一つ又は複数の保護領域のアクセス権限を確定する際に前記一つ又は複数の保護領域中の前記少なくとも一つのサブ保護領域のアクセス権限を確定することを含み、前記一つ又は複数の保護領域に対して権限添加符号化処理を行う際に、前記少なくとも一つのサブ保護領域のアクセス権限に基づいて、前記少なくとも一つのサブ保護領域の画像データに対して単独に権限添加符号化処理を行うことを含む請求項４に記載の方法。
【請求項６】
前記原始ピクチャー中の前記各保護領域に、モザイク処理、ぼんやり化処理、色合い変化処理、形状変化処理の中の少なくとも一つで処理を行う請求項１乃至５の中のいずれか一項に記載の方法。
【請求項７】
アクセス対象のピクチャーに請求項１乃至６の中のいずれかに記載の画像処理方法で処理した後、アクセスユーザが該処理後のピクチャーにアクセスする場合、該アクセスユーザのアクセス権限を取得することと、
該ユーザのアクセス権限に基づいて、該ピクチャーに対応する保護領域の画像データを取得することと、
取得した保護領域の画像データと該ピクチャーのメイン画像データに基づいて、対応する画像を生成して、前記アクセスユーザに表示することと、を含む画像アクセス方法。
【請求項８】
処理対象の原始ピクチャーにおいて一つ又は複数の保護領域を確定するように構成される領域区画モジュールと、
前記一つ又は複数の保護領域の画像データに対してアクセス権限添加保護処理を行って、前記一つ又は複数の保護領域にそれぞれ対応する一つ又は複数の独立したサブ画像データを得るように構成される保護モジュールと、
前記原始ピクチャー中の前記一つ又は複数の保護領域に対してマスク処理を行ってメイン画像データを得るように構成されるマスク処理モジュールと、
前記一つ又は複数の独立したサブ画像データと前記メイン画像データとを関連付けて記憶するように構成される記憶制御モジュールと、を含む画像処理装置。
【請求項９】
前記領域区画モジュールは、ユーザが前記原始ピクチャーにおいて選定した一つ又は複数の閉鎖領域を検出するように構成される領域検出サブモジュールを含み、一つの前記閉鎖領域は一つの保護領域であって、
又は、
前記領域区画モジュールは、前記原始ピクチャーに対して縁部検出を行うように構成される縁部検出サブモジュールと、前記検出された縁部に基づいて、該画像を異なる閉鎖領域となるように区画するように構成される領域確定サブモジュールと、前記閉鎖領域から保護領域として少なくとも一つを選択するように構成される、又は、前記閉鎖領域から少なくとも一つの閉鎖領域を選択してそれの外接する矩形、円形又は三角形でカバーされた領域を保護領域として取得するように構成される保護領域選択サブモジュールと、を含む請求項８に記載の装置。
【請求項１０】
前記記憶制御モジュールは、前記一つ又は複数の独立したサブ画像データと前記メイン画像データとを合併して記憶するように構成される合併記憶制御サブモジュールを含み、又は、前記記憶制御モジュールは、前記一つ又は複数の独立したサブ画像データと前記メイン画像データとをそれぞれ別途に記憶して、対応する関係データベースを生成するように構成される分離記憶制御サブモジュールを含む請求項８に記載の装置。
【請求項１１】
前記保護モジュールは、前記各保護領域のアクセス権限を確定するように構成されるアクセス権限設定サブモジュールと、前記原始ピクチャーから前記各保護領域の画像データを抽出するように構成されるデータ抽出サブモジュールと、前記各保護領域のアクセス権限に基づいて、それぞれ前記各保護領域の画像データに対して権限添加符号化処理を行って、前記各保護領域にそれぞれ対応する独立したサブ画像データを得るように構成される符号化サブモジュールと、を含む請求項８に記載の装置。
【請求項１２】
前記マスク処理モジュールは、
前記原始ピクチャー中の前記各保護領域に対してモザイク処理を行うように構成されるモザイク処理サブモジュールと、
前記原始ピクチャー中の前記各保護領域に対してぼんやり化処理を行うように構成されるぼんやり化処理サブモジュールと、
前記原始ピクチャー中の前記各保護領域に対して色合い変化処理を行うように構成される色合い変化処理サブモジュールと、
前記原始ピクチャー中の前記各保護領域に対して形状変化処理を行うように構成される形状変化処理サブモジュールとの中の少なくとも一つを含む請求項８乃至１１の中のいずれか一項に記載の装置。
【請求項１３】
アクセスユーザが請求項８乃至１１の中のいずれかに記載の画像処理装置による画像処理後のピクチャーにアクセスする場合、該アクセスユーザのアクセス権限を取得するように構成される権限取得モジュールと、
該ピクチャーのメイン画像データを取得するように構成されるメイン画像データ取得モジュールと、
該ユーザのアクセス権限に基づいて、該ピクチャーに対応する保護領域の画像データを取得するように構成される保護データ取得モジュールと、
取得した保護領域の画像データと該ピクチャーのメイン画像データに基づいて、対応する画像を生成して前記アクセスユーザに表示するように構成される表示モジュールと、を含む画像アクセス装置。
【請求項１４】
プログラム命令を含み、画像処理機器が当該プログラム命令を実行する場合、該機器に請求項１乃至６の中のいずれか一項に記載の方法を実施させるコンピュータプログラム。
【請求項１５】
請求項１４に記載のコンピュータプログラムが乗せられた担体。
【請求項１６】
プログラム命令を含み、画像アクセス機器が当該プログラム命令を実行する場合、該機器に請求項７に記載の方法を実施させるコンピュータプログラム。
【請求項１７】
請求項１６に記載のコンピュータプログラムが乗せられた担体。
【手続補正２】
【補正対象書類名】明細書
【補正対象項目名】０００７
【補正方法】変更
【補正の内容】
【０００７】
本発明の一実施例において、前記一つ又は複数の保護領域の画像データに対してアクセス権限添加保護処理を行うことは、
前記一つ又は複数の保護領域のアクセス権限を確定し、前記原始ピクチャーから各保護領域の画像データを抽出することと、前記各保護領域のアクセス権限に基づいて、それぞれ前記各保護領域の画像データに対して権限添加符号化処理を行って、前記各保護領域に対応する独立したサブ画像データを得ることと、を含む。
【手続補正３】
【補正対象書類名】明細書
【補正対象項目名】０００８
【補正方法】変更
【補正の内容】
【０００８】
本発明の一実施例において、前記各保護領域の画像データに対してアクセス権限添加保護処理を行う前、
前記一つ又は複数の保護領域から少なくとも一つのサブ保護領域を確定することを更に含み、
前記一つ又は複数の保護領域の画像データに対してアクセス権限添加保護処理を行う過程において、前記一つ又は複数の保護領域のアクセス権限を確定する際に前記一つ又は複数の保護領域中のサブ保護領域のアクセス権限を確定することを含み、前記一つ又は複数の保護領域に対して権限添加符号化処理を行う際に、前記少なくとも一つのサブ保護領域のアクセス権限に基づいて、前記少なくとも一つのサブ保護領域の画像データに対して単独に権限添加符号化処理を行うことを含む。
【手続補正４】
【補正対象書類名】明細書
【補正対象項目名】００３５
【補正方法】変更
【補正の内容】
【００３５】
本実施例において、セキュリティ制御を一層確保し、セキュリティ制御の信頼性や柔軟性を向上させるため、上記選択された保護領域において更に新しい保護領域を定め、一層上位の画像を生成して段階的に保護することができ、また、該ルールに従って、順に複数段階の画像を生成して段階的に保護することもできる。具体的には以下のとおりである：
選定された各保護領域の画像データに対してアクセス権限添加保護処理を行う前、少なくとも一つの保護領域において少なくとも一つのサブ保護領域を確定し、その後、該保護領域の画像データに対してアクセス権限添加保護処理を行う過程において、該保護領域のアクセス権限を確定する場合、更に該保護領域中のサブ保護領域のアクセス権限を単独に確定し、また、該保護領域に対して権限添加符号化処理を行う場合、更に該サブ保護領域のアクセス権限に基づいて、該サブ保護領域の画像データに対して単独に権限添加符号化処理を行う。
【手続補正５】
【補正対象書類名】明細書
【補正対象項目名】００５２
【補正方法】変更
【補正の内容】
【００５２】
本実施例において、セキュリティ制御を一層確保し、セキュリティ制御の信頼性や柔軟性を向上させるため、領域区画モジュール１は、上記選択された保護領域から更に新しい保護領域を選択し、一層上位の画像を生成して段階的に保護することができ、また、該ルールに従って、順に複数段階の画像を生成して段階的に保護することもできる。具体的には以下のとおりである：
領域区画モジュール１は、更に、保護モジュール２が選択された各保護領域の画像データに対してアクセス権限添加保護処理を行う前、少なくとも一つの保護領域において少なくとも一つのサブ保護領域を確定し、その後、保護モジュール２が該保護領域の画像データに対してアクセス権限添加保護処理を行う過程において、該保護領域のアクセス権限を確定する場合、該保護領域中のサブ保護領域のアクセス権限を確定することを含み、該保護領域に対して権限添加符号化処理を行う場合に該サブ保護領域のアクセス権限に基づいて該サブ保護領域の画像データに対して単独に権限添加符号化処理を行う。
【国際調査報告】
2017535839.tif 000010
2017535839.tif 000011
2017535839.tif 000012
2017535839.tif 000013